(57)【要約】【課題】被写体の動きが大きい場合であっても、撮像装置のフォーカスの確認を容易にする表示装置及び表示装置の制御方法を提供する。【解決手段】本発明の表示装置は、撮像装置による撮像で得られた動画像データの画像フレームを順に取得し、画像フレーム毎の高域成分を抽出する抽出手段と、現画像フレームの高域成分の量が所定値より多い場合に、当該現画像フレームを、前記撮像装置のフォーカス状態を確認するための確認用画像として、選択する選択手段と、前記選択手段により選択された前記現画像フレームを確認用画像として表示する表示手段と、を有することを特徴とする。【選択図】図１
2018011267.tif 000002
【特許請求の範囲】
【請求項１】
撮像装置による撮像で得られた動画像データの画像フレームを順に取得し、画像フレーム毎の高域成分を抽出する抽出手段と、
現画像フレームの高域成分の量が所定値より多い場合に、当該現画像フレームを、前記撮像装置のフォーカス状態を確認するための確認用画像として、選択する選択手段と、
前記選択手段により選択された前記現画像フレームを確認用画像として表示する表示手段と、
を有することを特徴とする表示装置。
【請求項２】
前記選択手段は、前記撮像装置が同一のフォーカス設定にある期間において、現画像フレームの高域成分の量が所定値より多い場合に、当該現画像フレームを前記確認用画像として選択する
ことを特徴とする請求項１に記載の表示装置。
【請求項３】
前記選択手段は、前記撮像装置のフォーカスに関する情報を取得し、前記フォーカスに関する情報に基づいて、前記撮像装置のフォーカス設定が同一であるか否かを判定する
ことを特徴とする請求項２に記載の表示装置。
【請求項４】
前記フォーカスに関する情報は、前記撮像装置の前記フォーカス設定が操作されているか否かを示す情報である
ことを特徴とする請求項３に記載の表示装置。
【請求項５】
前記所定値は、前記撮像装置が同一のフォーカス設定にある期間において、現画像フレームより過去の各画像フレームから抽出された高域成分の量のうち最も多い値である
ことを特徴とする請求項３または４に記載の表示装置。
【請求項６】
前記所定値は、一定の時間間隔で区切られた各期間において、現画像フレームより過去の各画像フレームから抽出された高域成分の量のうち最も多い値である
ことを特徴とする請求項３または４に記載の表示装置。
【請求項７】
前記選択手段は、前記期間内で最も高域成分の量が多い画像フレームを前記期間毎に選択する
ことを特徴とする請求項６に記載の表示装置。
【請求項８】
前記選択手段による画像フレームの選択を、ユーザが有効または無効に設定するための入力手段を更に有し、
前記選択が有効の場合は、前記表示手段は、前記選択手段に選択された画像フレームを確認用画像として表示し、
前記選択が無効の場合は、前記表示手段は、前記撮像装置による撮像で得られた動画像データの全ての画像フレームを表示する
ことを特徴とする請求項１〜７のいずれか１項に記載の表示装置。
【請求項９】
前記選択手段によって選択された画像フレームの高域成分に強調処理を施す強調処理手段を更に有し、
前記表示手段は、前記強調処理を施された前記画像フレームを前記確認用画像として表示する
ことを特徴とする請求項１〜８のいずれか１項に記載の表示装置。
【請求項１０】
請求項１〜９のいずれか１項に記載の表示装置と、
撮像した画像データと、撮像装置のフォーカスに関する情報と、を前記表示装置に出力する撮像装置と、
を備えることを特徴とする撮像システム。
【請求項１１】
撮像装置による撮像で得られた動画像データの画像フレームを順に取得し、画像フレーム毎の高域成分を抽出する抽出ステップと、
現画像フレームの高域成分の量が所定値より多い場合に、当該現画像フレームを、前記撮像装置のフォーカス状態を確認するための確認用画像として、選択する選択ステップと、
前記選択ステップにおいて選択された前記現画像フレームを確認用画像として表示する表示ステップと、
を有することを特徴とする表示装置の制御方法。
【請求項１２】
前記選択ステップでは、前記撮像装置が同一のフォーカス設定にある期間において、現画像フレームの高域成分の量が所定値より多い場合に、当該現画像フレームが前記確認用画像として選択される
ことを特徴とする請求項１１に記載の表示装置の制御方法。
【請求項１３】
前記選択ステップでは、前記撮像装置のフォーカスに関する情報が取得され、前記フォーカスに関する情報に基づいて、前記撮像装置のフォーカス設定が同一であるか否かが判定される
ことを特徴とする請求項１２に記載の表示装置の制御方法。
【請求項１４】
前記フォーカスに関する情報は、前記撮像装置の前記フォーカス設定が操作されているか否かを示す情報である
ことを特徴とする請求項１３に記載の表示装置の制御方法。
【請求項１５】
前記所定値は、前記撮像装置が同一のフォーカス設定にある期間において、現画像フレームより過去の各画像フレームから抽出された高域成分の量のうち最も多い値である
ことを特徴とする請求項１３または１４に記載の表示装置の制御方法。
【請求項１６】
前記所定値は、一定の時間間隔で区切られた各期間において、現画像フレームより過去の各画像フレームから抽出された高域成分の量のうち最も多い値である
ことを特徴とする請求項１３または１４に記載の表示装置の制御方法。
【請求項１７】
前記選択ステップでは、前記期間内で最も高域成分の量が多い画像フレームが前記期間毎に選択される
ことを特徴とする請求項１６に記載の表示装置の制御方法。
【請求項１８】
前記選択ステップにおける画像フレームの選択を、ユーザが有効または無効に設定するための入力ステップを更に有し、
前記選択が有効の場合は、前記表示ステップでは、前記選択ステップにおいて選択された画像フレームが確認用画像として表示され、
前記選択が無効の場合は、前記表示ステップでは、前記撮像装置による撮像で得られた動画像データの全ての画像フレームが表示される
ことを特徴とする請求項１１〜１７のいずれか１項に記載の表示装置の制御方法。
【請求項１９】
前記選択ステップにおいて選択された画像フレームの高域成分に強調処理を施す強調処理ステップを更に有し、
前記表示ステップでは、前記強調処理を施された前記画像フレームが前記確認用画像と
して表示される
ことを特徴とする請求項１１〜１８のいずれか１項に記載の表示装置の制御方法。
【請求項２０】
請求項１１〜１９のいずれか１項に記載の表示装置の制御方法の各ステップをコンピュータに実行させるためのプログラム。
【発明の詳細な説明】
【技術分野】
【０００１】
本発明は表示装置及び表示装置の制御方法に関する。
【背景技術】
【０００２】
近年、動画撮影の高解像度化が進み、フォーカス合わせの精度が課題となっている。撮影される動画像の高解像度化・高精細化が進むことで、肉眼でのフォーカス確認が難しくなる。そこで、動画像データの高域成分を強調表示（以下、「ピーキング表示」と呼ぶ）することにより、高解像度撮影でのフォーカス確認が容易になる。しかし、被写体の動きが大きくなると、モーションブラーの発生のため、撮影画像中で被写体がぼけてしまう。この結果、撮影画像中の高域成分が減少し、ピーキング表示され難くなるため、フォーカス確認が難しくなる。従来、動きの大きい被写体をキャプチャする方法としては、撮像装置において、被写体の動き量が所定の閾値より小さい場合のみ画像をキャプチャするものが一般的であった（例えば、特許文献１）。
【先行技術文献】
【特許文献】
【０００３】
【特許文献１】特開２０１１−１７６６７１号公報
【発明の概要】
【発明が解決しようとする課題】
【０００４】
しかしながら、上述した従来技術では、撮像装置内で画像のキャプチャ処理を行うため、動画撮影の場合、キャプチャ処理された後の静止画像が記録されてしまう。また、上述した従来技術では、フォーカスが合っていなくても、動き量が少なければ画像がキャプチャされてしまうため、フォーカス確認ができなくなる恐れがある。
そこで本発明は、被写体の動きが大きい場合であっても、撮像装置のフォーカスの確認を容易にする表示装置及び表示装置の制御方法を提供することを目的とする。
【課題を解決するための手段】
【０００５】
本発明の第一態様は、
撮像装置による撮像で得られた動画像データの画像フレームを順に取得し、画像フレーム毎の高域成分を抽出する抽出手段と、
現画像フレームの高域成分の量が所定値より多い場合に、当該現画像フレームを、前記撮像装置のフォーカス状態を確認するための確認用画像として、選択する選択手段と、
前記選択手段により選択された前記現画像フレームを確認用画像として表示する表示手段と、
を有することを特徴とする表示装置である。
【０００６】
本発明の第二態様は、
撮像装置による撮像で得られた動画像データの画像フレームを順に取得し、画像フレーム毎の高域成分を抽出する抽出ステップと、
現画像フレームの高域成分の量が所定値より多い場合に、当該現画像フレームを、前記撮像装置のフォーカス状態を確認するための確認用画像として、選択する選択ステップと、
前記選択ステップにおいて選択された前記現画像フレームを確認用画像として表示する表示ステップと、
を有することを特徴とする表示装置の制御方法である。
【０００７】
本発明の第三態様は、本発明に係る表示装置の制御方法の各ステップをコンピュータに実行させるためのプログラムである。
【発明の効果】
【０００８】
本発明によれば、被写体の動きが大きい場合であっても、撮像装置のフォーカスの確認を容易にすることができる。
【図面の簡単な説明】
【０００９】
【図１】実施例１に係る撮像システムの概略構成を示すブロック図
【図２】実施例１に係る入力画像データの高域成分の量の推移を示すグラフ
【図３】実施例１に係るキャプチャ制御処理について説明するためのフローチャート
【図４】実施例２に係る撮像システムの概略構成を示すブロック図
【図５】実施例２に係る入力画像データの高域成分の量の推移を示すグラフ
【図６】実施例２に係るキャプチャ制御処理について説明するためのフローチャート
【発明を実施するための形態】
【００１０】
以下、本発明の各実施例について、図面を参照して説明する。ただし、本発明は以下の各実施例に限定されるものではない。
＜実施例１＞
図１を参照して、本実施例に係る撮像システムの構成について説明する。図１の撮像システムは、表示装置１００と撮像装置２００とレコーダ３００を備える。各装置は、所定の通信方式によって接続されている。所定の通信方式とは、例えばＳＤＩ（Ｓｅｒｉａｌ
Ｄｉｇｉｔａｌ  Ｉｎｔｅｒｆａｃｅ）などである。
【００１１】
撮像装置２００は、撮像により得られた動画像データとフォーカス情報を表示装置１００に出力する。撮像装置２００は、フォーカス操作が行われている期間に、フォーカスに関する情報を表示装置１００に送信する。フォーカスに関する情報とは、具体的には、撮像装置２００のフォーカス設定が操作されているか否かを示す情報である。フォーカス情報の伝送は、例えばＳＤＩ信号のアンシラリ領域を利用する。例えば、フォーカスに関する情報を載せる場所としてアンシラリ領域に１ビット用意し、フォーカス操作中の場合「１」が設定され、フォーカス操作が行われていない場合「０」が設定されるものとする。なお、フォーカス情報を重畳するＳＤＩ信号の領域はアンシラリ領域以外を使用してもよい。レコーダ３００は、撮像装置２００による撮像で得られた動画像データを記録する。表示装置１００と撮像装置２００とレコーダ３００は、例えばビデオカメラのように一体の装置として構成されてもよいし、各装置が別体として機能する構成であってもよい。
【００１２】
表示装置１００は、画像処理部１０１、強調処理部１０２、表示部１０３、Ｉ／Ｆ（Ｉｎｔｅｒｆａｃｅ）部１０４、ＨＰＦ（Ｈｉｇｈ  Ｐａｓｓ  Ｆｉｌｔｅｒ）１０５、キャプチャ制御部１０６を備える。以下、各構成部位について詳しく説明する。
画像処理部１０１は、後述するキャプチャ制御部１０６からの指示に従い、撮像装置２００から入力された動画像データに対してキャプチャ処理を行う。なお、本明細書では、動画像データに含まれる複数の画像フレームから、特定の画像フレームを抜き出す作業をキャプチャと呼称する。
【００１３】
強調処理部１０２は、画像処理部１０１から入力した動画像データの高域成分に強調処理を行う。画像処理部１０１がキャプチャ処理を行った場合、強調処理部１０２は画像処理部１０１によってキャプチャされた画像フレームの高域成分に強調処理を施す。具体的には、強調処理部１０２は画像処理部１０１から入力した動画像データから高域成分を抽出し、抽出した高域成分を所定の色に変換後、動画像データに重畳する。なお、強調処理は、高域成分が視覚的に強調あるいは特定される表示であれば、色の変換以外の処理であ
っても構わない。例えば強調処理として、抽出された高域成分が点滅するなどの処理であってもよい。強調処理される箇所はフォーカスのあっている箇所を示すので、ユーザは強調処理された箇所を目印にフォーカス調整を行うことができ、フォーカス調整が容易になる。強調処理部１０２によって強調処理された箇所は、後述する表示部１０３においてピーキング表示される。
【００１４】
表示部１０３は、強調処理部１０２から入力した動画像データに基づく画像を撮像装置２００のフォーカス状態の確認用画像として表示する。その際、強調処理部１０２において強調処理された箇所を、表示部１０３はピーキング表示する。なお、表示部１０３に表示される画像は、画像処理部１０１にキャプチャされた画像フレームであれば、必ずしも強調処理部１０２による強調処理を必要としない。これは、ピーキング表示がなされなくても、キャプチャされた画像フレームの高域成分を肉眼で確認することによっても撮像装置２００のフォーカス確認を行うことが可能なためである。その場合、表示部１０３は、画像処理部１０１でキャプチャされた画像フレームをピーキング表示することなく表示する。
【００１５】
Ｉ／Ｆ部１０４は、ユーザ操作を行うためのインタフェースを提供する。ユーザは、Ｉ／Ｆ部１０４を介して、ピーキング表示または画像フレームのキャプチャを有効または無効に設定できる。Ｉ／Ｆ部１０４を介してユーザからピーキング表示ＯＮ操作（ピーキング表示を有効にする操作）を受け付けると、強調処理部１０２は強調処理が施された高域成分を生成して動画像データに重畳させる。なお、ピーキング表示が無効に設定されている場合、強調処理部１０２の処理が省略され、キャプチャされた画像フレームがピーキング表示されることなく表示部１０３に表示される。Ｉ／Ｆ部１０４を介してユーザからキャプチャモードＯＮ操作（画像フレームのキャプチャを有効にする操作）を受け付けると、後述するキャプチャ制御部１０６ではキャプチャ制御処理を行う。また、ユーザからキャプチャモードＯＦＦ操作（画像フレームのキャプチャを無効にする操作）を受け付けると、画像フレームのキャプチャは実行されず、撮像装置２００による撮像で得られた動画像データの全ての画像フレームが表示部１０３に表示される。
【００１６】
ＨＰＦ１０５は、撮像装置２００から入力した動画像データから高域成分を抽出する。例えばＨＰＦ１０５は、撮像装置２００による撮像で得られた動画像データの画像フレームを順に取得し、画像フレーム毎の高域成分を抽出する。高域成分の抽出には、例えば動画像データの各画像フレームに微分フィルタを作用させ、閾値以上の強度を有する画素を特定する、等の方法が用いられる。なお、本明細書では閾値以上の強度を有する画素を高域成分と呼び、閾値以上の強度を有する画素の数を高域成分の量と呼ぶ。
キャプチャ制御部１０６は、ＨＰＦ１０５から入力した動画像データの高域成分と、撮像装置２００から入力したフォーカス情報を用いて、キャプチャ制御処理を行う。具体的には、動画像データの高域成分の情報と、フォーカス情報に基づいて、入力された動画像データから画像フレームを選択し、動画像データから当該画像フレームを抜き出す作業の実行を画像処理部１０１に指示する。キャプチャ制御部１０６におけるキャプチャ制御処理の詳細については、図３のフローチャートを参照して後述する。
【００１７】
例えば、本実施例に係る表示装置１００は、プロセッサ（不図示）と、制御プログラムが格納されたメモリ（不図示）とを備えるものとする。この場合、上述したような、表示装置１００が備える少なくとも一部の機能部の処理は、プロセッサがメモリから制御プログラムを読み出して実行することにより実現されてもよい。又は、ＡＳＩＣやＦＰＧＡなどの回路により実現されてもよい。
【００１８】
キャプチャ制御部１０６におけるキャプチャ制御処理の概要について、図２のグラフを参照して説明する。図２のグラフにおいて、縦軸は画像フレーム毎の高域成分の量、横軸
は時間を示す。高域成分の量が少ない箇所は、被写体の動きが激しく、モーションブラーの発生により高域成分の量が減少している画像フレームである。また、高域成分の量が多い箇所は、被写体の動きが少なく、モーションブラーが発生していない画像フレームである。なお、同一フォーカス期間は、表示装置１００に接続された撮像装置２００のフォーカスが変更されていない期間を示す。例えばＨＰＦ１０５は、撮像装置２００による撮像で得られた動画像データの画像フレームを順に取得し、画像フレーム毎の高域成分を抽出する。これによって、図２のグラフを得ることができる。
【００１９】
実施例１のキャプチャ制御処理では、図２に示すように、同一フォーカス期間内においてより多くの高域成分を含む画像フレームが現れた場合に、画像処理部１０１は当該画像フレームをキャプチャする。ピーキング表示される高域成分の箇所はフォーカスが合っている箇所を示すため、ピーキング表示の範囲が広くなる画像フレームを表示することで、フォーカス確認がし易くなる。
【００２０】
本実施例におけるキャプチャ制御部１０６によるキャプチャ制御処理の概要について説明する。本実施例では、キャプチャ制御部１０６は画像フレームの高域成分の量が所定値より多い場合に、当該画像フレームを、前記撮像装置のフォーカス状態を確認するための確認用画像として、選択する。なお、本実施例では所定値として、同一フォーカス期間において、高域成分を抽出しようとする画像フレームより過去の画像フレームから抽出された高域成分の量のうち、最も多い高域成分の量が設定される。
【００２１】
キャプチャ制御部１０６におけるキャプチャ制御処理の具体例について、図３のフローチャートを参照して説明する。なお、図３中のＦは画像フレームの高域成分の量を示し、Ｆ＿ＭＡＸは同一フォーカス期間において、それまでに動画データの画像フレームから抽出されたＦの値の最大値を示す。キャプチャ制御処理では、キャプチャ制御処理が終了しない限り（ステップＳ１８）、入力画像データの画像フレーム毎に以下のループ処理（ステップＳ１１〜ステップＳ１７）が実行される。
【００２２】
以下、ステップＳ１１〜ステップＳ１７のループ処理について詳述する。
ステップＳ１１では、ＨＰＦ１０５が、撮像装置２００から入力された動画像データの画像フレームから高域成分の量Ｆを抽出する。なお、本ループ処理は画像フレーム毎に実行される。本ループ処理の説明では、各ループの処理の対象となる特定の一枚の画像フレーム（以下、「現画像フレーム」と呼ぶ）に着目し、以下説明を進める。
ステップＳ１２では、キャプチャ制御部１０６がＩ／Ｆ部１０４の設定から、キャプチャモードを確認する。キャプチャモードがＯＮの場合（ステップＳ１２：ＹＥＳ）、キャプチャ制御部１０６は画像フレームのキャプチャが有効であると判定して、ステップＳ１３に処理を進める。キャプチャモードがＯＦＦの場合（ステップＳ１２：ＮＯ）、キャプチャ制御部１０６は画像フレームのキャプチャが無効であると判定して、ステップＳ１４に処理を進める。
【００２３】
ステップＳ１３では、現画像フレームが現れるタイミングが同一フォーカス期間内であるか否かが確認される。具体的には、キャプチャ制御部１０６が撮像装置２００のフォーカス情報を取得し、フォーカス情報に基づいて、撮像装置２００のフォーカスが変更されていないかどうかを判定する。撮像装置２００のフォーカスが変更されていないと判定された場合（ステップＳ１３：ＹＥＳ）、ステップＳ１５に処理を進める。撮像装置２００のフォーカスが変更されていると判定された場合（ステップＳ１３：ＮＯ）、ステップＳ１４に処理を進める。
ステップＳ１４では、Ｆ＿ＭＡＸが０で初期化され、その後ステップＳ１８に処理を進める。
【００２４】
ステップＳ１５では、キャプチャ制御部１０６が現画像フレームのＦとＦ＿ＭＡＸを比較する。ＦがＦ＿ＭＡＸを上回る場合（ステップＳ１５：ＹＥＳ）、ステップＳ１６に処理を進める。ＦがＦ＿ＭＡＸ以下である場合（ステップＳ１５：ＮＯ）、ステップＳ１８に処理を進める。
ステップＳ１６では、Ｆ＿ＭＡＸが現画像フレームのＦで上書きされ、更新される。更新後、ステップＳ１７に処理を進める。
ステップＳ１７では、キャプチャ制御部１０６が現画像フレームを選択し、画像処理部１０１に現画像フレームのキャプチャを指示する。画像処理部１０１は、キャプチャ制御部１０６からキャプチャ指示を受けると現画像フレームをキャプチャし、強調処理部１０２を介して、表示部１０３にキャプチャされた現画像フレームを、撮像装置２００のフォーカス状態の確認用画像として表示させる。
ステップＳ１５〜Ｓ１７の処理では、現画像フレームの高域成分の量が、撮像装置２００が同一のフォーカス設定にある期間において、現画像フレームより過去の各画像フレームから抽出された高域成分の量よりも多い場合に現画像フレームが選択される。
なお、図３では、キャプチャモードが有効の場合にキャプチャ処理を実施可能としているが、キャプチャモードを判定せずにキャプチャ処理を実施してもよい。
なお、本実施例ではＦの比較対象としてＦ＿ＭＡＸを用いたが、代わりに固定の閾値を設定してもよい。この場合、閾値を超える一定の高域成分の量を有する画像フレームがキャプチャされる。
【００２５】
以上説明したように、実施例１では、撮像装置２００の同一フォーカス期間において高域成分をより多く含む画像フレームがキャプチャされ、表示される。これにより、被写体の動きが激しく、モーションブラーが発生する場合でも、高域成分を多く含む画像フレームが選択的に表示される。高域成分の箇所はフォーカスが合っている箇所を示すため、ピーキング表示によってフォーカス確認がし易くなる。また、撮像装置の内部でキャプチャ処理が実行される構成の場合、レコーダが撮像装置の外部にあると、動画撮影を行っても記録されるデータはキャプチャ後の静止画像になってしまうという課題があった。本実施例のキャプチャ制御処理は、撮像装置２００とは別体の表示装置１００の内部で行われるため、レコーダ３００で記録される動画像データはキャプチャの影響を受けない。
【００２６】
また、本実施例は撮像装置２００と撮影対象の位置関係が大きく変わらない場合のフォーカス調整の確認に好適である。例えば、物理的な移動がない被写体を撮影する際に、撮像装置２００を固定した状態でフォーカス調整した結果を確認するような場合に、本実施例は適している。より具体的には、撮像装置２００を固定して樹木を撮影するような場合が想定される。フォーカス調整をした後に本実施例を適用すると、風などの影響により枝葉が大きく動く画像フレームが除かれ、高域成分の量が多い、フォーカスが合っている画像フレームが表示される。撮影者は、これらの画像を見ながらフォーカス調整の結果を確認することができる。
【００２７】
＜実施例２＞
実施例２では、キャプチャ画像の表示を定期的に更新する例について説明する。以下、図４を参照して、表示装置１００の構成について説明する。表示装置１００の構成については、図１との差分のみ説明する。
【００２８】
画像フレーム記憶部１０７は、画像処理部１０１がキャプチャした画像フレームを記憶する。具体的には、画像処理部１０１は、キャプチャ制御部１０６から画像フレームのキャプチャが指示された場合、撮像装置２００から入力した動画像データから当該画像フレームをキャプチャし、後述する画像フレーム記憶部１０７に記憶する。キャプチャ制御部１０６におけるキャプチャ制御処理の詳細については、図６のフローチャートを参照して後述する。なお、既に画像フレーム記憶部１０７にキャプチャされた画像フレームが記憶
されている場合は、画像フレーム記憶部１０７は新しくキャプチャされた画像フレームに更新して記憶する。
【００２９】
キャプチャ制御部１０６におけるキャプチャ制御処理の概要について、図５のグラフを参照して説明する。図５のグラフは、図２と同様、動画像データの高域成分の量の推移を表している。図５のキャプチャ制御処理では、同一フォーカス期間において、一定の時間間隔でキャプチャ画像の表示が更新される。一定の時間間隔とは、例えば１秒である。また、一定の時間間隔で区切られた各期間を、以下所定期間（本実施例の場合、１秒間）と呼ぶことにする。本実施例では、前回キャプチャ画像の表示の更新から始まる所定期間内で最も高域成分が多く含まれる画像フレームがキャプチャされ、表示される。なお、図５では所定期間を１秒間にしているが、これに限定されない。
【００３０】
キャプチャ制御部１０６におけるキャプチャ制御処理の詳細について、図６のフローチャートを参照して説明する。なお、図６中のＦおよびＦ＿ＭＡＸは、図３と同じ意味である。図６中のＣＯＵＮＴは、画像フレームのカウント数を示す。キャプチャ制御処理では、キャプチャ制御処理が終了しない限り（Ｓ１８）入力画像データの画像フレーム毎に以下のループ処理（Ｓ１１〜Ｓ１３、Ｓ１５、Ｓ２１〜Ｓ２６）が行われる。
【００３１】
ループ処理では、まずステップＳ１１で、ＨＰＦ１０５が現画像フレームの高域成分の量Ｆを抽出する。
ステップＳ１２では、キャプチャ制御部１０６がＩ／Ｆ部１０４の設定から、キャプチャモードを確認する。キャプチャモードがＯＮの場合（ステップＳ１２：ＹＥＳ）、キャプチャ制御部１０６は画像フレームのキャプチャが有効であると判定して、ステップＳ１３に処理を進める。キャプチャモードがＯＦＦの場合（ステップＳ１２：ＮＯ）、キャプチャ制御部１０６は画像フレームのキャプチャが無効であると判定して、ステップＳ２１に処理を進める。
【００３２】
ステップＳ１３では、現画像フレームが現れるタイミングが同一フォーカス期間内であるか否かが確認される。具体的には、キャプチャ制御部１０６が撮像装置２００のフォーカス情報を取得し、フォーカス情報に基づいて、撮像装置２００のフォーカスが変更されていないかどうかを判定する。撮像装置２００のフォーカスが変更されていないと判定された場合（ステップＳ１３：ＹＥＳ）、ステップＳ１５に処理を進める。撮像装置２００のフォーカスが変更されていると判定された場合（ステップＳ１３：ＮＯ）、ステップＳ２１に処理を進める。
ステップＳ２１では、Ｆ＿ＭＡＸおよびＣＯＵＮＴが０で初期化され、その後ステップＳ１８に処理を進める。
【００３３】
ステップＳ１５では、キャプチャ制御部１０６が現画像フレームのＦとＦ＿ＭＡＸを比較する。ＦがＦ＿ＭＡＸを上回る場合（ステップＳ１５：ＹＥＳ）、ステップＳ２２に処理を進める。ＦがＦ＿ＭＡＸ以下である場合（ステップＳ１５：ＮＯ）、ステップＳ２３に処理を進める。
ステップＳ２２では、キャプチャ制御部１０６が画像処理部１０１にキャプチャ画像の更新を指示する。そして、画像処理部１０１は画像フレーム記憶部１０７にキャプチャされた現画像フレームを記憶させる。その後、処理をステップＳ２３に進める。
ステップＳ２３では、キャプチャ制御部１０６が画像フレームのカウント数（ＣＯＵＮＴ）を１増加する。その後、ステップＳ２４に処理を進める。
【００３４】
ステップＳ２４では、キャプチャ制御部１０６が、ＣＯＵＮＴが所定値より大きいか否かを判定する。所定値の値は例えば、所定期間に動画像データに現れる画像フレーム数とする。例えば、動画像データのフレームレートが３０ｆｐｓで、所定期間が１秒間の場合
、所定値の値は３０枚となる。ＣＯＵＮＴが所定値より大きい場合（ステップＳ２４：ＹＥＳ）、ステップＳ２５に処理を進める。ＣＯＵＮＴが所定値以下の場合（ステップＳ２４：ＮＯ）、ステップＳ１８に処理を進める。
【００３５】
ステップＳ２５では、画像処理部１０１は、キャプチャ制御部１０６からキャプチャ画像表示の指示を受けると、画像フレーム記憶部１０７からキャプチャ画像を取得する。そして、強調処理部１０２がキャプチャ画像にピーキング表示を施し、表示部１０３はキャプチャ画像を表示する。その後、ステップＳ２６に処理を進める。
ステップＳ２６では、キャプチャ制御部１０６がＦ＿ＭＡＸおよびＣＯＵＮＴに０を設定して初期化する。その後、ステップＳ１８に処理を進める。
【００３６】
なお、図６では、キャプチャモードが有効の場合にキャプチャ処理を実施可能としているが、キャプチャモードを判定せずにキャプチャ処理を実施してもよい。また、図６では画像フレームのカウント数により、キャプチャ画像の表示更新タイミングを決めているが、これに限定せず、タイマー等で時間的に表示更新タイミングを決めてもよい。
また、本実施例では所定期間内にキャプチャされた画像フレームのうち、高域成分を最も多く含む画像フレームを所定期間毎に更新して表示した。しかし、所定期間内で過去の画像フレームより高域成分を多く含む現画像フレームが現れる度に、確認用画像を更新して表示してもよい。すなわち、Ｆ＿ＭＡＸとして、各所定期間において現画像フレームより過去の各画像フレームから抽出された高域成分の量のうち最も多い量が設定されてもよい。この場合、現画像フレームのＦがＦ＿ＭＡＸを超えた場合に、ＦでＦ＿ＭＡＸの値が更新される。これによって、所定期間内で、より多く高域成分を含む画像フレームが現れる度に確認用画像が更新され、フォーカス確認がし易くなる。
【００３７】
以上説明したように、実施例２では、所定の間隔でキャプチャ画像の表示が更新される。本実施例は例えば、撮像装置２００と撮影対象との位置関係が時間的に変化する場合のフォーカス調整の確認に適している。スポーツの撮影などの場合、撮像装置２００と撮影対象の位置関係は常に変化することが予想される。本実施例によれば、定期的に表示される画像フレームが更新されるため、フォーカス調整の結果を、撮影対象の動きを追いながら定期的に確認することができる。
【００３８】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００３９】
なお、実施例１、２はあくまで一例であり、本発明の要旨の範囲内で実施例１、２の構成を適宜変形したり変更したりすることにより得られる構成も、本発明に含まれる。実施例１、２の構成を適宜組み合わせて得られる構成も、本発明に含まれる。
例えば、実施例２において、画像フレーム記憶部１０７はキャプチャした画像フレームを更新して記憶するのではなく、所定期間の間キャプチャした画像をすべて記憶しておき、最新の画像フレームを表示してもよい。この方法によれば、最新の画像フレームのデータが何らかの理由で損傷を受けた場合、２番目に新しい画像フレームを表示することで視認性の良い画像を継続して表示できる。
【符号の説明】
【００４０】
１００：表示装置  １０１：画像処理部  １０３：表示部
１０５：ＨＰＦ  １０６：キャプチャ制御部
【図１】
2018011267.tif 000003
【図２】
2018011267.tif 000004
【図３】
2018011267.tif 000005
【図４】
2018011267.tif 000006
【図５】
2018011267.tif 000007
【図６】
2018011267.tif 000008